(57)【要約】  信頼性の高い二次電池を提供する。複数の正極タブを有する帯状の正極板と、帯状の負極板と、正極板と負極板を帯状のセパレータ（７０）を介して巻回した偏平状の巻回電極体と、複数の正極タブが積層された状態で接続された正極集電体と、を備えた二次電池であって、正極板は、正極芯体（４ａ）と、正極芯体（４ａ）上に形成された正極活物質層（４ｂ）を有し、正極板において複数の正極タブが設けられた第１端辺において、正極芯体（４ａ）の一方の面に正極芯体（４ａ）の一方の面から正極芯体（４ａ）の厚み方向に突出する第１突出部（４ｘ）が形成され、正極芯体（４ａ）の他方の面に正極芯体（４ａ）の他方の面から正極芯体（４ａ）の厚み方向に突出する突出部が形成されておらず、巻回電極体において、正極芯体（４ａ）の一方の面が巻回電極体の巻回中心側を向くように配置されている。
2020137714.tif 000002
【特許請求の範囲】
【請求項１】
複数の第１電極タブを有する帯状の第１電極板と、
前記第１電極板と極性の異なる帯状の第２電極板と、
前記第１電極板と前記第２電極板を、帯状のセパレータを介して巻回した偏平状の巻回電極体と、
前記複数の第１電極タブが積層された状態で接続された第１電極集電体と、
を備えた二次電池であって、
前記第１電極板は、金属製の第１電極芯体と、前記第１電極芯体上に形成された第１電極活物質層を有し、
前記第１電極板において前記複数の第１電極タブが設けられた第１端辺において、
前記第１電極芯体の一方の面に前記第１電極芯体の一方の面から前記第１電極芯体の厚み方向に突出する第１突出部が形成され、
前記第１電極芯体の他方の面に前記第１電極芯体の他方の面から前記第１電極芯体の厚み方向に突出する突出部が形成されていない、又は前記第１電極芯体の他方の面に前記第１電極芯体の他方の面から前記第１電極芯体の厚み方向に突出すると共に前記第１突出部の突出高さよりも小さい突出高さを有する第２突出部が形成され、
前記巻回電極体において、前記第１電極芯体の前記一方の面が前記巻回電極体の巻回中心側を向くように配置された二次電池。
【請求項２】
前記第１電極板は正極板であり、
前記第２電極板は負極板である請求項１に記載の二次電池。
【請求項３】
前記第１電極タブは、前記第１電極芯体の一部である請求項１又は２に記載の二次電池。
【請求項４】
前記第１電極芯体は、アルミニウム又はアルミニウム合金からなる請求項１〜３のいずれか記載の二次電池。
【請求項５】
前記複数の第１電極タブは、湾曲した状態で前記第１電極集電体に接続された請求項１〜４のいずれかに記載の二次電池。
【発明の詳細な説明】
【技術分野】
【０００１】
本発明は二次電池に関する。
【背景技術】
【０００２】
電気自動車（ＥＶ）やハイブリッド電気自動車（ＨＥＶ、ＰＨＥＶ）等の駆動用電源において、アルカリ二次電池や非水電解質二次電池等の二次電池が使用されている。【０００３】
これらの二次電池では、開口を有する有底筒状の外装体と、その開口を封口する封口板により電池ケースが構成される。電池ケース内には、正極板、負極板及びセパレータからなる電極体が電解質と共に収容される。封口板には正極端子及び負極端子が取り付けられる。正極端子は正極集電体を介して正極板に電気的に接続され、負極端子は負極集電体を介して負極板に電気的に接続される。【０００４】
このような二次電池として、複数の正極タブを有する帯状の正極板と、複数の負極タブを有する帯状の負極板とを、帯状のセパレータを介して巻回した偏平状の巻回電極体を備えた二次電池が提案されている（下記特許文献１）。【０００５】
また、正極板ないし負極板を連続発振型レーザーで切断することにより、正極板ないし負極板を構成する芯体（集電箔）の切断端部に芯体の厚みよりも厚みの大きい曲面部が形成される技術が提案されている（下記特許文献２）。
【先行技術文献】
【特許文献】
【０００６】
【特許文献１】特開２０１６−１１５４０９号公報
【特許文献２】特開２０１６−３３９１２号公報
【発明の概要】
【発明が解決しようとする課題】
【０００７】
本発明は、信頼性の高い二次電池を提供することを一つの目的とする。
【課題を解決するための手段】
【０００８】
本発明の一形態に係る二次電池は、
複数の第１電極タブを有する帯状の第１電極板と、
前記第１電極板と極性の異なる帯状の第２電極板と、
前記第１電極板と前記第２電極板を、帯状のセパレータを介して巻回した偏平状の巻回電極体と、
前記複数の第１電極タブが積層された状態で接続された第１電極集電体と、
を備えた二次電池であって、
前記第１電極板は、金属製の第１電極芯体と、前記第１電極芯体上に形成された第１電極活物質層を有し、
前記第１電極板において前記複数の第１電極タブが設けられた第１端辺において、
前記第１電極芯体の一方の面に前記第１電極芯体の一方の面から前記第１電極芯体の厚み方向に突出する第１突出部が形成され、
前記第１電極芯体の他方の面に前記第１電極芯体の他方の面から前記第１電極芯体の厚み方向に突出する突出部が形成されていない、又は前記第１電極芯体の他方の面に前記第１電極芯体の他方の面から前記第１電極芯体の厚み方向に突出すると共に前記第１突出部の突出高さよりも小さい突出高さを有する第２突出部が形成され、
前記巻回電極体において、前記第１電極芯体の前記一方の面が前記巻回電極体の巻回中心側を向くように配置されている。【０００９】
巻回電極体では、第１電極板の第１端辺における第１電極板芯体の巻回外側（外周側）を向く面に突出部が存在する場合、突出部に大きな応力が加わりやすい。したがって、第１端辺における第１電極板芯体の巻回外側（外周側）を向く面に存在する突出部は、第１電極板芯体から脱離しやすくなる。そして、第１電極板芯体から脱離した突出部を原因として第１電極板と第２電極板の短絡が生じるおそれがある。
上述の構成によると、第１突出部が第１電極板の第１端辺における第１電極板芯体の巻回中心側（巻回内側）を向く面に配置されるようにするため、第１突出部に応力が加わり難く、第１電極板芯体から第１突出部が脱離し難い構成となる。よって、第１電極板と第２電極板の短絡が効果的に抑制された信頼性の高い二次電池となる。
【発明の効果】
【００１０】
本発明によると、信頼性の高い二次電池を提供できる。
【図面の簡単な説明】
【００１１】
【図１】実施形態に係る二次電池の斜視図である。
【図２】図１におけるＩＩ−ＩＩ線に沿った断面図である。
【図３】（ａ）は正極原板の平面図である。（ｂ）はタブ形成後の正極原板の平面図である。（ｃ）は最終正極原板の平面図である。（ｄ）は正極板の平面図である。
【図４】図３（ｄ）のＩＶ−ＩＶ線に沿った断面の断面図である。
【図５】（ａ）は負極原板の平面図である。（ｂ）はタブ形成後の負極原板の平面図である。（ｃ）は最終負極原板の平面図である。（ｄ）は負極板の平面図である。
【図６】実施形態に係る巻回電極体の平面図である。
【図７】実施形態に係る巻回電極体における正極板の第１端辺近傍の断面図である。
【図８】実施形態に係る正極板の一部の第１端辺近を巻回電極体の巻回軸に沿って見た模式図である。
【図９】第２正極集電体に正極タブ群を接続し、第２負極集電体に負極タブ群を接続した状態を示す図である。
【図１０】第１正極集電体及び第１負極集電体を取り付けた後の封口板の電極体側の面を示す図である。
【図１１】第１正極集電体に第２正極集電体を取り付け、第１負極集電体に第２負極集電体を取り付けた後の封口板の電極体側の面を示す図である。
【発明を実施するための形態】
【００１２】
実施形態に係る二次電池としての角形二次電池２０の構成を以下に説明する。なお、本発明は、以下の実施形態に限定されない。
【００１３】
図１及び図２に示すように角形二次電池２０は、開口を有する有底角筒状の角形外装体１と、角形外装体１の開口を封口する封口板２からなる電池ケース１００を備える。角形外装体１及び封口板２は、それぞれ金属製であることが好ましい。角形外装体１内には、正極板と負極板を含む巻回電極体３が電解質と共に収容されている。
【００１４】
巻回電極体３の封口板２側の端部には、複数の正極タブ４０からなる正極タブ群４０Ａと、複数の負極タブ５０からなる負極タブ群５０Ａが設けられている。正極タブ群４０Ａは第２正極集電体６ｂ及び第１正極集電体６ａを介して正極端子７に電気的に接続されている。負極タブ群５０Ａは第２負極集電体８ｂ及び第１負極集電体８ａを介して負極端子９に電気的に接続されている。第１正極集電体６ａと第２正極集電体６ｂが正極集電体６を構成している。なお、正極集電体６を一つの部品としてもよい。第１負極集電体８ａと第２負極集電体８ｂが負極集電体８を構成している。なお、負極集電体８を一つの部品としてもよい。
【００１５】
第１正極集電体６ａ、第２正極集電体６ｂ及び正極端子７は金属製であることが好ましく、アルミニウム又はアルミニウム合金製であることがより好ましい。正極端子７と封口板２の間には樹脂製の外部側絶縁部材１０が配置されている。第１正極集電体６ａ及び第２正極集電体６ｂと封口板２の間には樹脂製の内部側絶縁部材１１が配置されている。
【００１６】
第１負極集電体８ａ、第２負極集電体８ｂ及び負極端子９は金属製であることが好ましく、銅又は銅合金製であることがより好ましい。また、負極端子９は、アルミニウム又はアルミニウム合金からなる部分と、銅又は銅合金からなる部分を有するようにすることが好ましい。この場合、銅又は銅合金からなる部分を第１負極集電体８ａに接続し、アルミニウム又はアルミニウム合金からなる部分を封口板２よりも外部側に突出するようにすることが好ましい。負極端子９と封口板２の間には樹脂製の外部側絶縁部材１２が配置されている。第１負極集電体８ａ及び第２負極集電体８ｂと封口板２の間には樹脂製の内部側絶縁部材１３が配置されている。
【００１７】
巻回電極体３と角形外装体１の間には樹脂製の樹脂シートからなる電極体ホルダー１４が配置されている。電極体ホルダー１４は、樹脂製の絶縁シートを袋状又は箱状に折り曲げ成形されたものであることが好ましい。封口板２には電解液注液孔１５が設けられており、電解液注液孔１５は封止部材１６で封止されている。封口板２には、電池ケース１００内の圧力が所定値以上となったときに破断し電池ケース１００内のガスを電池ケース１００外に排出するガス排出弁１７が設けられている。
【００１８】
次に角形二次電池２０の製造方法及び各構成の詳細を説明する。
【００１９】
[正極板]
まず、正極板の製造方法を説明する。
［正極活物質層スラリーの作製］
正極活物質としてのリチウムニッケルコバルトマンガン複合酸化物、結着材としてのポリフッ化ビニリデン（ＰＶｄＦ）、導電材としての炭素材料、及び分散媒としてのＮ−メチル−２−ピロリドン（ＮＭＰ）をリチウムニッケルコバルトマンガン複合酸化物：ＰＶｄＦ：炭素材料の質量比が９７．５：１：１．５となるように混練し、正極活物質層スラリーを作製する。
【００２０】
［正極保護層スラリーの作製］
アルミナ粉末、導電材としての炭素材料、結着材としてのポリフッ化ビニリデン（ＰＶｄＦ）と分散媒としてのＮ−メチル−２−ピロリドン（ＮＭＰ）を、アルミナ粉末：炭素材料：ＰＶｄＦの質量比が８３：３：１４ となるように混練し、保護層スラリーを作製
する。
【００２１】
［正極活物質層及び正極保護層の形成］
正極芯体としての厚さ１５μｍのアルミニウム箔の両面に、上述の方法で作製した正極活物質層スラリー及び正極保護層スラリーをダイコータにより塗布する。このとき、正極芯体の幅方向の中央に正極活物質層スラリーが塗布される。また、正極活物質層スラリーが塗布される領域の幅方向の両端に正極保護層スラリーが塗布されるようにする。
【００２２】
正極活物質層スラリー及び正極保護層スラリーが塗布された正極芯体を乾燥させ、正極活物質層スラリー及び正極保護層スラリーに含まれるＮＭＰを除去する。これにより正極活物質層及び保護層が形成される。その後、一対のプレスローラの間を通過させることにより、正極活物質層を圧縮して正極原板４００とする。
【００２３】
図３（ａ）は、上述の方法で作製された正極原板４００の平面図である。帯状の正極芯体４ａの両面には、正極芯体４ａの長手方向に沿って正極活物質層４ｂが形成されている。正極芯体４ａにおいて、正極活物質層４ｂが形成された領域の幅方向の両端部には正極保護層４ｃが形成されている。そして、正極原板４００の幅方向の両端部には、正極原板４００の長手方向に沿って正極芯体露出部４ｄが形成されている。なお、正極活物質層４ｂの厚みは、正極保護層４ｃの厚みよりも大きいことが好ましい。
【００２４】
図３（ｂ）は、タブ形成後の正極原板４０１の平面図である。正極原板４００の正極芯体露出部４ｄを所定形状に切断することにより、タブ形成後の正極原板４０１を作製する。正極原板４００の切断は、レーザー等のエネルギー線の照射、金型、あるいはカッター（裁断刃）等により行うことができる。タブ形成後の正極原板４０１においては、タブ形成後の正極原板４０１の幅方向の両端に、タブ形成後の正極原板４０１の長手方向に沿って複数の正極タブ４０が形成される。なお、正極タブ４０は正極芯体露出部４ｄからなる。図３（ｂ）に示すように、正極タブ４０の根元、及び隣接する正極タブ４０同士の間に形成されるタブ形成後の正極原板４０１の端部に、正極保護層４ｃが残るように正極原板４００を切断することが出来る。なお、正極保護層４ｃは必須の構成ではなく、省略することもできる。また、正極活物質層４ｂが形成された部分を切断し、隣接する正極タブ４０同士の間に形成されるタブ形成後の正極原板４０１の端辺に、正極保護層４ｃが残らないようにしてもよい。なお、正極原板４００をエネルギー線の照射により切断し、正極タブ４０を形成することが好ましい。
【００２５】
正極原板４００をレーザーを用いて切断する場合は、レーザーの出力は、１００Ｗ〜１５００Ｗであることが好ましく、５５０Ｗ〜１０００Ｗであることがより好ましく、６００Ｗ〜１０００Ｗであることがさらに好ましい。レーザーの走査速度は１００ｍｍ／ｓ〜５０００ｍｍ／ｓであることが好ましい。但し、これに限定されない。連続発振（ＣＷ）レーザーを用いてもよいし、パルスレーザーを用いてもよい。
【００２６】
図３（ｃ）は、最終正極原板４０２の平面図である。タブ形成後の正極原板４０１の長手方向に沿って、タブ形成後の正極原板４０１を幅方向における中央部で切断する。これにより、幅方向の大きさが正極板４の大きさである最終正極原板４０２となる。即ち最終正極原板４０２は、長さ方向について正極板４の長さに切断する前の状態である。なお、タブ形成後の正極原板４０１の長手方向に沿って、タブ形成後の正極原板４０１を幅方向における中央部で切断する際は、金型やカッター（裁断刃）等を用いて切断することが好ましい。
【００２７】
図３（ｄ）は、正極板４の平面図である。最終正極原板４０２を所定長さに切断することにより、正極板４とする。なお、生産性をより向上させるためには、後述する巻回電極体の作製工程において最終正極原板４０２を切断することが好ましい。即ち、巻回電極体を巻回しながら、あるいは巻回した後に、巻き終り端部となる部分を切断することが好ましい。なお、最終正極原板４０２を所定長さに切断する際は、金型やカッター（裁断刃）等を用いて切断することが好ましい。
【００２８】
より高出力な二次電池とするため、巻回電極体３においては、正極板４の各層毎に正極タブ４０が設けられることが好ましい。即ち、正極板４の積層数と正極タブ４０の積層数が同じ、あるいは略同じであることが好ましい。したがって、図３（ｄ）に示すように、正極板４においては、正極タブ４０同士が近い距離（Ｄ１）をおいて配置された部分と、正極タブ４０同士が遠い距離（Ｄ２）をおいて配置された部分が存在する。そして、巻回電極体３において巻回中心から巻回外側（外周側）に向かって径が大きくなる。したがって、正極タブ４０を積層した場合に、それぞれの正極タブ４０の位置が揃うようにするため、正極板４の巻き始め端部から巻き終わり端部に向かって、距離Ｄ１及び距離Ｄ２はそれぞれ徐々に大きくなるように設定することが好ましい。なお、後述する負極タブ５０についても同様である。
【００２９】
図４は、図３（ｄ）のＩＶ−ＩＶ線に沿った断面図であり、正極板４において正極タブ４０が設けられた第１端辺４Ａ近傍の断面図である。図４に示すように、正極板４の第１端辺４Ａ近傍は、正極芯体４ａにおいて正極活物質層４ｂが形成されていない活物質層非形成領域４ｆを有する。活物質層非形成領域４ｆにおいて、正極活物質層４ｂと隣接する部分には、正極保護層４ｃが形成されている。活物質層非形成領域４ｆの端部には、正極芯体４ａの一方の面（図４では上面）から正極芯体４ａの厚み方向（図４においては上方向）に突出する第１突出部４ｘが形成されている。第１突出部４ｘは、正極保護層４ｃに覆われていない領域を有している。第１突出部４ｘは、レーザー切断の際に正極芯体４ａが溶融し凝固した部分である。第１突出部４ｘは、レーザー切断の際に正極芯体４ａにおいてレーザーが照射される側の面に生じやすい。
【００３０】
第１端辺４Ａにおける正極芯体４ａにおいて、第１突出部４ｘが形成された一方の面とは反対側に位置する他方の面には、他方の面から正極芯体４ａの厚み方向（図４においては下方向）に突出する突出部は形成されていない。
なお、第１端辺４Ａにおける正極芯体４ａにおいて、第１突出部４ｘが形成された一方の面とは反対側に位置する他方の面に、第２突出部が形成されていてもよい。但し、第２突出部の突出高さ（正極芯体４ａの厚み方向における正極芯体４ａの他方の面からの第２突出部の突出高さ）は、第１突出部４ｘの突出高さ（正極芯体４ａの厚み方向における正極芯体４ａの一方の面からの第１突出部４ｘの突出高さ）よりも小さくする。
【００３１】
なお、第１突出部４ｘの形状や大きさ、及び上述の第２突出部の形状や大きさは、正極原板４００をレーザー切断する際のレーザーの出力、レーザーの走査速度、正極芯体４ａの厚み等を調整することで調整できる。なお、レーザーの出力が大きくなるほど、第１突出部４ｘの突出高さが大きくなる傾向にある。また、レーザーの走査速度が大きくなるほど、第１突出部４ｘの突出高さが小さくなる傾向にある。
【００３２】
[負極板]
次に、負極板の製造方法を説明する。
［負極活物質層スラリーの作製］
負極活物質としての黒鉛、結着材としてのスチレンブタジエンゴム（ＳＢＲ）及びカルボキシメチルセルロース（ＣＭＣ）、及び分散媒としての水を、黒鉛：ＳＢＲ：ＣＭＣの質量比が９８：１：１となるように混練し、負極活物質層スラリーを作製する。
【００３３】
［負極活物質層の形成］
負極芯体としての厚さ８μｍの銅箔の両面に、上述の方法で作製した負極活物質層スラリーをダイコータにより塗布する。
【００３４】
負極活物質層スラリーが塗布された負極芯体を乾燥させ、負極活物質層スラリーに含まれる水を除去する。これにより負極活物質層が形成される。その後、一対のプレスローラの間を通過させることにより、負極活物質層を圧縮して負極原板５００とする。
【００３５】
図５（ａ）は、上述の方法で作製された負極原板５００の平面図である。帯状の負極芯体５ａの両面には、負極芯体５ａの長手方向に沿って負極活物質層５ｂが形成されている。そして、負極原板５００の幅方向の両端部には、負極原板５００の長手方向に沿って負極芯体露出部５ｃが形成されている。
【００３６】
図５（ｂ）は、タブ形成後の負極原板５０１の平面図である。タブ形成後の負極原板５０１の負極芯体露出部５ｃを所定形状に切断することにより、タブ形成後の負極原板５０１を作製する。負極原板５００の切断は、レーザー等のエネルギー線の照射、金型、あるいはカッター（裁断刃）等により行うことができる。タブ形成後の負極原板５０１においては、タブ形成後の負極原板５０１の幅方向の両端に、タブ形成後の負極原板５０１の長手方向に沿って複数の負極タブ５０が形成される。なお、負極タブ５０は負極芯体露出部５ｃからなる。なお、負極原板５００をエネルギー線の照射により切断し、負極タブ５０を形成することが好ましい。
【００３７】
図５（ｃ）は、最終負極原板５０２の平面図である。タブ形成後の負極原板５０１の長手方向に沿って、タブ形成後の負極原板５０１を幅方向における中央部で切断する。これにより、幅方向の大きさが負極板５の大きさである最終負極原板５０２となる。即ち最終負極原板５０２は、長さ方向について負極板５の長さに切断する前の状態である。なお、タブ形成後の負極原板５０１の長手方向に沿って、タブ形成後の負極原板５０１を幅方向における中央部で切断する際は、金型やカッター（裁断刃）等を用いて切断することが好ましい。
【００３８】
図５（ｄ）は、負極板５の平面図である。最終負極原板５０２を所定長さに切断することにより、負極板５とする。なお、生産性をより向上させるためには、後述する巻回電極体の作製工程において最終負極原板５０２を切断することが好ましい。即ち、巻回電極体を巻回しながら、あるいは巻回した後に、巻き終り端部となる部分を切断することが好ましい。なお、最終負極原板５０２を所定長さに切断する際は、金型やカッター（裁断刃）等を用いて切断することが好ましい。
【００３９】
[巻回電極体の作製]
上述の方法で作製した正極板４及び負極板５を、ポリオレフィン製の帯状のセパレータ７０を介して巻回し、偏平状の巻回電極体３を製造する。なお、上述の通り、最終正極原板４０２の一方端と、最終負極原板５０２の一方端を巻き取り機に供給し、巻回中あるいは巻回後に、最終正極原板４０２と最終負極原板５０２を所定の位置で切断することが好ましい。
【００４０】
図６は、巻回電極体３の平面図である。巻回電極体３において、巻回軸が延びる方向における一つの端部には、複数の正極タブ４０からなる正極タブ群４０Ａと、複数の負極タブ５０からなる負極タブ群５０Ａが設けられる。
【００４１】
図７は、巻回電極体３の正極板４の第１端辺４Ａ近傍の断面図であり、巻回電極体３の巻回軸に沿った方向の断面図である。なお、図７において右側が巻回電極体３の巻回中心（巻回内側）であり、図７において左側が巻回電極体３の巻回外側（外周側）である。図７に示すように、巻回電極体３において、正極芯体４ａにおいて第１突出部４ｘが形成された面が、巻回電極体３の巻回中心（巻回内側）を向くように配置されている。よって、正極芯体４ａにおいて第１突出部４ｘが形成された面が巻回電極体３の巻回外側（外周側）を向くように配置されている場合と比較し、第１突出部４ｘに応力が加わり難い構成となっている。したがって、第１突出部４ｘが正極芯体４ａから脱離することを効果的に抑制できる。
【００４２】
図８は、第１端辺４Ａに位置する正極芯体４ａの一部を巻回電極体３の巻回軸に沿って見た模式図である。上述の通り正極芯体４ａにおいて第１突出部４ｘが形成された面が巻回電極体３の巻回中心（巻回内側）を向くように配置されている。
【００４３】
なお、第１突出部４ｘの突出高さは、正極活物質層４ｂの１層の厚みよりも小さいことが好ましい。また、第１突出部４ｘの突出高さは、正極芯体４ａにおいて、両面に正極活物質層４ｂが形成されている部分の厚みよりも小さいことが好ましい。また、第１突出部４ｘの突出高さは、正極芯体４ａにおいて、両面に正極活物質層４ｂが形成されている部分の厚みの１／２以下であることがより好ましい。
【００４４】
なお、第１突出部４ｘの突出高さは、第１端辺４Ａに沿って高さが変化するようにすることが好ましい。即ち、第１突出部４ｘの突出高さが部分的に小さい領域が形成されるようにすることが好ましい。これにより、第１突出部４ｘに加わる応力を低減できるため、第１突出部４ｘが正極芯体４ａから脱離することをより効果的に抑制できる。なお、第１突出部４ｘの突出高さが部分的に小さい領域における第１突出部４ｘの突出高さは、第１突出部４ｘの突出高さが最も大きい部分における第１突出部４ｘの突出高さの２/３以下
であることが好ましく、１/３以下であることがより好ましい。
【００４５】
なお、正極芯体４ａにおいて巻回電極体３の巻回外側（外周側）を向く面に、第１突出部４ｘの突出高さよりも高さが小さい第２突出部が形成されていてもよい。
【００４６】
巻回電極体３において、正極板４の積層数をＮ１（層）としたとき、積層される正極タブ４０の枚数は０．８×Ｎ１以上であることが好ましく、０．９×Ｎ１以上であることがより好ましい。
巻回電極体３において、負極板５の積層数をＮ２（層）としたとき、積層される負極タブ５０の枚数は０．８×Ｎ２以上であることが好ましく、０．９×Ｎ２以上であることがより好ましい。
【００４７】
[集電体とタブの接続]
図９に示すように、二つの巻回電極体３の正極タブ群４０Ａを第２正極集電体６ｂに接続すると共に、二つの巻回電極体３の負極タブ群５０Ａを第２負極集電体８ｂに接続する。正極タブ群４０Ａは第２正極集電体６ｂに接合されて接合部６０が形成される。負極タブ群５０Ａは第２負極集電体８ｂに接合されて接合部６１が形成される。接合方法としては、超音波溶接（超音波接合）、抵抗溶接、レーザー溶接等を用いることができる。
【００４８】
第２正極集電体６ｂには、薄肉部６ｃが形成され、薄肉部６ｃ内には集電体開口６ｄが形成されている。この薄肉部６ｃにおいて、第２正極集電体６ｂは第１正極集電体６ａに接合される。第２正極集電体６ｂには、封口板２の電解液注液孔１５と対向する位置に集電体貫通穴６ｅが形成されている。第２負極集電体８ｂには、薄肉部８ｃが形成され、薄肉部８ｃ内には集電体開口８ｄが形成されている。この薄肉部８ｃにおいて、第２負極集電体８ｂは第１負極集電体８ａに接合される。
【００４９】
[封口板への各部品取り付け]
図１０は、各部品を取り付けた封口板２の電池内部側の面を示す図である。封口板２への各部品取り付けは次のように行われる。
【００５０】
封口板２の正極端子挿入孔２ａの周囲の電池外面側に外部側絶縁部材１０を配置する。封口板２の正極端子挿入孔２ａの周囲の電池内面側に内部側絶縁部材１１及び第１正極集電体６ａを配置する。そして、正極端子７を電池外部側から、外部側絶縁部材１０の貫通孔、封口板２の正極端子挿入孔２ａ、内部側絶縁部材１１の貫通孔及び第１正極集電体６ａの貫通孔に挿入し、正極端子７の先端を第１正極集電体６ａ上にカシメる。これにより、正極端子７及び第１正極集電体６ａが封口板２に固定される。なお、正極端子７においてカシメられた部分と第１正極集電体６ａを溶接することが好ましい。
【００５１】
封口板２の負極端子挿入孔２ｂの周囲の電池外面側に外部側絶縁部材１２を配置する。封口板２の負極端子挿入孔２ｂの周囲の電池内面側に内部側絶縁部材１３及び第１負極集電体８ａを配置する。そして、負極端子９を電池外部側から、外部側絶縁部材１２の貫通孔、封口板２の負極端子挿入孔２ｂ、内部側絶縁部材１３の貫通孔及び第１負極集電体８ａの貫通孔に挿入し、負極端子９の先端を第１負極集電体８ａ上にカシメる。これにより、負極端子９及び第１負極集電体８ａが封口板２に固定される。なお、負極端子９においてカシメられた部分と第１負極集電体８ａを溶接することが好ましい。
【００５２】
内部側絶縁部材１１において、封口板２に設けられた電解液注液孔１５と対向する部分には、注液開口１１ａが設けられている。また、注液開口１１ａの縁部には筒状部１１ｂが設けられている。
【００５３】
［第１集電体と第２集電体の接続］
図１１は、第１正極集電体６ａに第２正極集電体６ｂを取り付け、第１負極集電体８ａに第２負極集電体８ｂを取り付けた後の封口板２の電池内部側の面を示す図である。
正極タブ群４０Ａが接続された第２正極集電体６ｂを、その一部が第１正極集電体６ａと重なるようにして、内部側絶縁部材１１上に配置する。そして、薄肉部６ｃにレーザー照射することにより、第２正極集電体６ｂと第１正極集電体６ａを接合する。これにより接合部６２が形成される。また、負極タブ群５０Ａが接続された第２負極集電体８ｂを、その一部が第１負極集電体８ａと重なるようにして、内部側絶縁部材１３上に配置する。そして、薄肉部８ｃにレーザー照射することにより、第２負極集電体８ｂと第１負極集電体８ａを接合する。これにより接合部６３が形成される。
【００５４】
［二次電池の作製］
図１１における一方の巻回電極体３の上面と他方の巻回電極体３の上面とが直接ないし他の部材を介して接するように二つの正極タブ群４０Ａ及び二つの負極タブ群５０Ａを湾曲させる。これにより、二つの巻回電極体３を一つに纏める。そして、二つの巻回電極体３を、箱状ないし袋状に成形した絶縁シートからなる電極体ホルダー１４内に配置する。
【００５５】
一方の正極タブ群４０Ａと他方の正極タブ群４０Ａとは、それぞれ異なる向きに湾曲した状態となる。また、一方の負極タブ群５０Ａと他方の負極タブ群５０Ａとは、それぞれ異なる向きに湾曲した状態となる。
【００５６】
電極体ホルダー１４で包まれた二つの巻回電極体３を角形外装体１に挿入する。そして、封口板２と角形外装体１を溶接し、角形外装体１の開口を封口板２により封口する。そして、封口板２に設けられた電解液注液孔１５を通じて角形外装体１内に電解液を注液する。その後、電解液注液孔１５をブラインドリベット等の封止部材１６により封止する。これにより角形二次電池２０が完成する。
【００５７】
上述の実施形態においては、正極板４の第１端辺４Ａ近傍における第１突出部４ｘについて述べた。しかしながら、本願発明は正極板側に限定されない。正極板側に代えて、負極板側について、上述の実施形態に開示の第１突出部に関する構成とすることもできる。また、正極板側及び負極板側の両方について、上述の実施形態に開示の第１突出部に関する構成とすることもできる。
【００５８】
なお、芯体がアルミニウム又はアルミニウム合金製である場合、第１突出部の突出高さが高くなりやすいため、芯体がアルミニウム又はアルミニウム合金製である場合に本願発明は特に効果的である。
【００５９】
上述の実施形態においては、電池ケース内に二つの巻回電極体を配置する例を示したが、巻回電極体は一つであってもよいし、三つ以上であってもよい。
【００６０】
上述の実施形態においては、正極集電体及び負極集電体がそれぞれ二つの部品からなる例を示したが、正極集電体及び負極集電体はそれぞれ一つの部品から構成されてもよい。正極集電体と負極集電体がそれぞれ一つの部品である場合、正極集電体と負極集電体にそれぞれ正極タブ群と負極タブ群を接続した後、正極集電体と負極集電体を封口板に取り付けられた正極端子と負極端子にそれぞれ接続することが好ましい。
【００６１】
正極板、負極板、セパレータ、及び電解質等に関しては、公知の材料を用いることができる。
【符号の説明】
【００６２】
２０・・・角形二次電池
１・・・角形外装体  
２・・・封口板
２ａ・・・正極端子挿入孔  
２ｂ・・・負極端子挿入孔
１００・・・電池ケース
３・・・巻回電極体
４・・・正極板
４Ａ・・・第１端辺
４ａ・・・正極芯体
４ｂ・・・正極活物質層
４ｃ・・・正極保護層
４ｄ・・・正極芯体露出部
４ｆ・・・活物質層非形成領域
４ｘ・・・第１突出部
４０・・・正極タブ
４０Ａ・・・正極タブ群
４００・・・正極原板
４０１・・・タブ形成後の正極原板
４０２・・・最終正極原板
５・・・負極板
５ａ・・・負極芯体
５ｂ・・・負極活物質層
５ｃ・・・負極芯体露出部
５０・・・負極タブ
５０Ａ・・・負極タブ群
５００・・・負極原板
５０１・・・タブ形成後の負極原板
５０２・・・最終負極原板
６・・・正極集電体
６ａ・・・第１正極集電体
６ｂ・・・第２正極集電体
６ｃ・・・薄肉部
６ｄ・・・集電体開口
６ｅ・・・集電体貫通穴
７・・・正極端子
８・・・負極集電体
８ａ・・・第１負極集電体
８ｂ・・・第２負極集電体
８ｃ・・・薄肉部
８ｄ・・・集電体開口
９・・・負極端子
１０・・・外部側絶縁部材
１１・・・内部側絶縁部材
１１ａ・・・注液開口
１１ｂ・・・筒状部
１２・・・外部側絶縁部材
１３・・・内部側絶縁部材
１４・・・電極体ホルダー
１５・・・電解液注液孔
１６・・・封止部材
１７・・・ガス排出弁
６０、６１、６２、６３・・・接合部
７０・・・セパレータ
【図１】
2020137714.tif 000003
【図２】
2020137714.tif 000004
【図３】
2020137714.tif 000005
【図４】
2020137714.tif 000006
【図５】
2020137714.tif 000007
【図６】
2020137714.tif 000008
【図７】
2020137714.tif 000009
【図８】
2020137714.tif 000010
【図９】
2020137714.tif 000011
【図１０】
2020137714.tif 000012
【図１１】
2020137714.tif 000013
【国際調査報告】
2020137714.tif 000014
2020137714.tif 000015
2020137714.tif 000016
2020137714.tif 000017
2020137714.tif 000018